【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
チャネル状態情報（ＣＳＩ）報告に適用されるべき平均化のタイプの指示を基地局から受信することと、
１つまたはより多くのサブフレームにおいて受信される基準信号を測定することと、
前記指示された平均化のタイプおよび前記測定値に基づいてＣＳＩ報告を生成することと、および、
前記ＣＳＩ報告を送ることと、
を備える、ユーザ機器（ＵＥ）によるワイヤレス通信のための方法。
【請求項２】
前記指示は、時間領域平均化または周波数領域平均化のうちの少なくとも１つを指示する、請求項１に記載の方法。
【請求項３】
前記指示は、干渉平均化、チャネル平均化、信号対ノイズ比（ＳＮＲ）平均化、またはスペクトル効率平均化のうちの少なくとも１つの指示を備える、請求項１に記載の方法。
【請求項４】
前記指示は、前記基地局からブロードキャストまたは専用シグナリングのうちの少なくとも１つを介して提供される、請求項１に記載の方法。
【請求項５】
異なる指示が、サブフレームの異なるサブセットに対して独立して適用されるべき異なる平均化のタイプに関して提供される、請求項１に記載の方法。
【請求項６】
ＣＳＩ報告に適用されるべき平均化のタイプの前記指示を前記基地局から受信することは、
報告プロセスを測定リソースの特定のセットと関連付けるためのシグナリングを、前記基地局から受信すること、
を備える、請求項１に記載の方法。
【請求項７】
チャネル状態情報（ＣＳＩ）報告に適用されるべき平均化のタイプの指示をユーザ機器（ＵＥ）に送信することと、および、
前記指示された平均化のタイプおよび基準信号測定値に基づいて生成されたＣＳＩ報告を前記ＵＥから受信することと、
を備える、基地局（ＢＳ）によるワイヤレス通信の方法。
【請求項８】
前記指示は、時間領域平均化または周波数領域平均化のうちの少なくとも１つを指示する、請求項７に記載の方法。
【請求項９】
前記指示は、干渉平均化、チャネル平均化、信号対ノイズ比（ＳＮＲ）平均化、またはスペクトル効率平均化のうちの少なくとも１つの指示を備える、請求項７に記載の方法。
【請求項１０】
前記指示は、前記基地局からブロードキャストまたは専用シグナリングの少なくとも１つを介して提供される、請求項７に記載の方法。
【請求項１１】
異なる指示が、サブフレームの異なるサブセットに独立して適用されるべき異なる平均化のタイプに提供される、請求項７に記載の方法。
【請求項１２】
ＣＳＩ報告に適用されるべき平均化の前記タイプの前記指示を送信することは、
報告プロセスを測定リソースの特定のセットと関連付けるためのシグナリングを、前記ＵＥに送信すること、
を備える、請求項７に記載の方法。
【請求項１３】
チャネル状態情報（ＣＳＩ）報告に適用されるべき平均化のタイプの指示を基地局から受信するための手段と、
１つまたはより多くのサブフレームにおいて受信される基準信号を測定するための手段と、
前記指示された平均化のタイプおよび前記測定値に基づいてＣＳＩ報告を生成するための手段と、および、
前記ＣＳＩ報告を送るための手段と、
を備える、ユーザ機器（ＵＥ）によるワイヤレス通信のための装置。
【請求項１４】
チャネル状態情報（ＣＳＩ）報告に適用されるべき平均化のタイプの指示をユーザ機器（ＵＥ）に送信するための手段と、および、
前記指示された平均化のタイプおよび基準信号測定値に基づいて生成されたＣＳＩ報告を前記ＵＥから受信するための手段と、
を備える、基地局（ＢＳ）によるワイヤレス通信の装置。
【請求項１５】
少なくとも１つのコンピュータに、実行されるとき請求項１から６、または請求項７から１２のうちの一項に記載の方法を実行させるための実行可能な命令を備える、コンピュータプログラム。
【手続補正２】
【補正対象書類名】明細書
【補正対象項目名】００８０
【補正方法】変更
【補正の内容】
【００８０】
[0088]  本開示の先の説明は、本開示を製造または使用することをいずれの当業者にも可能にさせるために提供されている。本開示に対する様々な変更は、当業者に容易に理解され、本明細書において定義された一般的な原理は、本開示の精神または範囲から逸脱することなく、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
チャネル状態情報（ＣＳＩ）報告に適用されるべき平均化のタイプの指示を基地局から受信することと、
１つまたはより多くのサブフレームにおいて受信される基準信号を測定することと、
前記指示された平均化のタイプおよび前記測定値に基づいてＣＳＩ報告を生成することと、および、
前記ＣＳＩ報告を送ることと、
を備える、ユーザ機器（ＵＥ）によるワイヤレス通信のための方法。
［Ｃ２］
前記指示は、時間領域平均化または周波数領域平均化のうちの少なくとも１つを指示する、Ｃ１に記載の方法。
［Ｃ３］
前記指示は、任意の平均化のタイプが全てにおいて適用されるべきであるかどうかの指示を備える、Ｃ１に記載の方法。
［Ｃ４］
前記指示は、干渉平均化、チャネル平均化、信号対ノイズ比（ＳＮＲ）平均化、またはスペクトル効率平均化のうちの少なくとも１つの指示を備える、Ｃ１に記載の方法。
［Ｃ５］
前記指示は、ＣＳＩ報告構成の一部として受信される、Ｃ１に記載の方法。
［Ｃ６］
前記指示は、異なる干渉測定リソース（ＩＭＲｓ）に関して独立して提供される、Ｃ１に記載の方法。
［Ｃ７］
前記指示は、前記基地局からブロードキャストまたは専用シグナリングのうちの少なくとも１つを介して提供される、Ｃ１に記載の方法。
［Ｃ８］
異なる指示が、同一の干渉測定リソース（ＩＭＲ）のための異なるＣＳＩプロセスに関して提供される、Ｃ１に記載の方法。
［Ｃ９］
異なる指示が、サブフレームの異なるサブセットに対して独立して適用されるべき異なる平均化のタイプに関して提供される、Ｃ１に記載の方法。
［Ｃ１０］
サブセット中のサブフレームは、対応する干渉基地局のトラフィック負荷に少なくとも部分的に基づいて選択される、Ｃ９に記載の方法。
［Ｃ１１］
前記指示は、２つの平均化モードのうちの１つを示す単一ビットとして提供される、Ｃ１に記載の方法。
［Ｃ１２］
前記２つの平均化モードは、
固定の平均化モードと、ここにおいて、平均化はリソースの限定された範囲にわたって適用される、および、
より限定されない平均化モードと、ここにおいて、平均化はリソースのより広い範囲にわたって適用される、
を備える、Ｃ１１に記載の方法。
［Ｃ１３］
ＣＳＩ報告に適用されるべき平均化のタイプの前記指示を前記基地局から受信することは、
報告プロセスを測定リソースの特定のセットと関連付けるためのシグナリングを、前記基地局から受信すること、
を備える、Ｃ１に記載の方法。
［Ｃ１４］
前記シグナリングは、周期的なＣＳＩ測定プロセスを測定サブフレームサブセットと関連付ける、Ｃ１３に記載の方法。
［Ｃ１５］
チャネル状態情報（ＣＳＩ）報告に適用されるべき平均化のタイプの指示をユーザ機器（ＵＥ）に送信することと、および、
前記指示された平均化のタイプおよび基準信号測定値に基づいて生成されたＣＳＩ報告を前記ＵＥから受信することと、
を備える、基地局（ＢＳ）によるワイヤレス通信の方法。
［Ｃ１６］
前記指示は、時間領域平均化または周波数領域平均化のうちの少なくとも１つを指示する、Ｃ１５に記載の方法。
［Ｃ１７］
前記指示は、任意の平均化のタイプが全てにおいて適用されるべきであるかどうかの指示を備える、Ｃ１５に記載の方法。
［Ｃ１８］
前記指示は、干渉平均化、チャネル平均化、信号対ノイズ比（ＳＮＲ）平均化、またはスペクトル効率平均化のうちの少なくとも１つの指示を備える、Ｃ１５に記載の方法。
［Ｃ１９］
指示は、ＣＳＩ報告構成の一部として送信される、Ｃ１５に記載の方法。
［Ｃ２０］
前記指示は、異なる干渉測定リソース（ＩＭＲｓ）に独立して提供される、Ｃ１５に記載の方法。
［Ｃ２１］
前記指示は、前記基地局からブロードキャストまたは専用シグナリングの少なくとも１つを介して提供される、Ｃ１５に記載の方法。
［Ｃ２２］
異なる指示が、同一の干渉測定リソース（ＩＭＲ）のための異なるＣＳＩプロセスに提供される、Ｃ１５に記載の方法。
［Ｃ２３］
異なる指示が、サブフレームの異なるサブセットに独立して適用されるべき異なる平均化のタイプに提供される、Ｃ１５に記載の方法。
［Ｃ２４］
サブセット中のサブフレームは、対応する干渉基地局のトラフィック負荷に少なくとも部分的に基づいて選択される、Ｃ２３に記載の方法。
［Ｃ２５］
前記指示は、２つの平均化モードのうちの１つを示す単一ビットとして提供される、Ｃ１５に記載の方法。
［Ｃ２６］
前記２つの平均化モードは、
固定の平均化モードと、ここにおいて、平均化はリソースの限定された範囲にわたって適用される、および、
より限定されない平均化モードと、ここにおいて、平均化はリソースのより広い範囲にわたって適用される、
を備える、Ｃ２５に記載の方法。
［Ｃ２７］
ＣＳＩ報告に適用されるべき平均化のタイプの前記指示を送信することは、
報告プロセスを測定リソースの特定のセットと関連付けるためのシグナリングを、前記ＵＥに送信すること、
を備える、Ｃ１５に記載の方法。
［Ｃ２８］
前記シグナリングは、周期的なＣＳＩ測定プロセスを測定サブフレームサブセットと関連付ける、Ｃ２７に記載の方法。
［Ｃ２９］
チャネル状態情報（ＣＳＩ）報告に適用されるべき平均化のタイプの指示を基地局から受信するための手段と、
１つまたはより多くのサブフレームにおいて受信される基準信号を測定するための手段と、
前記指示された平均化のタイプおよび前記測定値に基づいてＣＳＩ報告を生成するための手段と、および、
前記ＣＳＩ報告を送るための手段と、
を備える、ユーザ機器（ＵＥ）によるワイヤレス通信のための装置。
［Ｃ３０］
チャネル状態情報（ＣＳＩ）報告に適用されるべき平均化のタイプの指示をユーザ機器（ＵＥ）に送信するための手段と、および、
前記指示された平均化のタイプおよび基準信号測定値に基づいて生成されたＣＳＩ報告を前記ＵＥから受信するための手段と、
を備える、基地局（ＢＳ）によるワイヤレス通信の装置。